(57)【特許請求の範囲】
【請求項１】
複数の終端装置を収容する複数の第１上り受信チャネル及び複数の第１上り送信チャネルを有し、各第１上り受信チャネルと対応する第１上り送信チャネルとを接続する加入者線終端部と、複数の第２上り受信チャネル及び複数の第２上り送信チャネルを有し、各第２上り受信チャネルと対応する第２上り送信チャネルとを接続するクロスコネクト部と、前記第２上り送信チャネル及び交換機に接続される交換機接続部とを有する端局装置の異常修復を制御する制御装置であって、
前記各第２上り送信チャネルの異常を検出する通信状態監視部と、
前記通信状態監視部により第２上り送信チャネルの異常が検出された場合に、該第２上り送信チャネルに接続される第２上り受信チャネルを特定する第１チャネル特定部と、
前記第１チャネル特定部により特定された第２上り受信チャネルに接続される第１上り受信チャネルを特定する第２チャネル特定部と、
前記通信状態監視部により第２上り送信チャネルの異常が検出された場合に、該第２上り送信チャネルと空きの第２上り受信チャネルとを接続するよう前記クロスコネクト部を制御する第１制御部と、
前記第２チャネル特定部により特定された第１上り受信チャネルと空きの第１上り送信チャネルとを接続するよう前記加入者線終端部を制御する第２制御部と、
を具備したことを特徴とする制御装置。
【請求項２】
前記第１上り受信チャネルと対応する第１上り送信チャネルとの関係及び空きの第１上り送信チャネルに関する情報を記憶する加入者線終端部テーブルと、前記第２上り受信チャネルと対応する第２上り送信チャネルとの関係及び空きの第２上り受信チャネルに関する情報を記憶するクロスコネクト部テーブルとを更に具備したことを特徴とする請求項１記載の制御装置。
【請求項３】
前記端局装置は複数の加入者線終端部を有し、前記各第２受信チャネルは対応する第１送信チャネルに予め接続されており、前記第１制御部は、前記クロスコネクト部テーブルに基づき、前記第２上り送信チャネルと、異常なチャネルに関わる加入者線終端部に接続される中でチャネル番号が最若番の空きの第２上り受信チャネルとを接続するよう前記クロスコネクト部を制御することを特徴とする請求項２記載の制御装置。
【請求項４】
前記第２制御部は、前記加入者線終端部テーブルに基づき、前記第１上り受信チャネルとチャネル番号が最若番の空きの第１上り送信チャネルとを接続するよう前記加入者線終端部を制御することを特徴とする請求項２記載の制御装置。
【請求項５】
複数の終端装置を収容する複数の第１下り送信チャネル及び複数の第１下り受信チャネルを有し、各第１下り送信チャネルと対応する第１下り受信チャネルとを接続する加入者線終端部と、前記各第下り１受信チャネルに予め接続される複数の第２下り送信チャネル及び複数の第２下り受信チャネルを有し、各第２下り受信チャネルと対応する第２下り送信チャネルとを接続するクロスコネクト部と、前記第２下り受信チャネル及び交換機に接続される交換機接続部とを有する端局装置を制御する制御装置であって、
前記各第１下り送信チャネルの異常を検出する通信状態監視部と、
前記通信状態監視部により第１下り送信チャネルの異常が検出された場合に、該第１下り送信チャネルに接続される第１下り受信チャネルを特定する第１チャネル特定部と、
前記第１チャネル特定部により特定された第１下り受信チャネルに接続される第２下り受信チャネルを特定する第２チャネル特定部と、
前記通信状態監視部により第１下り送信チャネルの異常が検出された場合に、該第１下り送信チャネルと空きの第１下り受信チャネルとを接続するよう前記加入者線終端部を制御する第１制御部と、
前記第２チャネル特定部により特定された第２下り受信チャネルと空きの第２下り送信チャネルとを接続するよう前記クロスコネクト部を制御する第２制御部と、
を具備したことを特徴とする制御装置。
【発明の詳細な説明】
【０００１】
【発明の属する技術分野】
本発明は、終端装置と交換機との間の接続をする端局装置の異常修復に関する。
【０００２】
【従来の技術】
パソコン等の端末装置は終端装置に接続されている。複数の終端装置はカプラを通して端局装置に接続される。端局装置は複数の交換機に接続される。終端装置は、上り・下りについて、端局装置により割り当てられたチャネルを使用することにより端局装置との間で通信が行われる。端局装置は装置番号が付与されており、チャネルは装置番号の昇順に割り当てられる。端局装置に割り当てられるチャネルは端末装置が必要とする帯域に応じて複数チャネルの割り当てが可能であり、必要に応じて帯域を動的に増やすことができる。端局装置は各終端装置に割り当てられたチャネルのデータを受信すると、対応する交換機のチャネルにマッピングして、交換機に送信する。一方、端局装置は、交換機から送信された各チャネルのデータを受信すると、対応する終端装置に割り当てられたチャネルにマッピングして、終端装置に送信する。
【０００３】
図１８は従来の伝送ネットワークの構成図である。図１８に示すように、伝送ネットワークは、複数の終端装置２＃ｉｊ（ｉ＝１〜ｍ，ｊ＝１〜ｎ）、カプラ４＃ｉ、端局装置６及び複数の交換機８＃ｋ（ｋ＝１〜ｐ）から構成される。終端装置２＃ｉｊや交換機８＃ｋと端局装置６との間は、例えば、光ファイバにより接続される。端局装置６は、複数の加入者終端部１０＃ｉ（ｉ＝１〜ｍ）、クロスコネクト部１２及び複数の交換機接続部１４＃ｋ（ｋ＝１〜ｐ）より構成される。
【０００４】
図１９中は端局装置６の上りチャネルに関わる部分の詳細図である。図に示すように、加入者終端部１０＃ｉは、複数の上り受信チャネル部２０＃ｉｑ（ｑ＝１，２，…）、ＳＷ２２＃ｉ、複数の上り送信チャネル部２４＃ｉｑ（ｑ＝１，２，…）、複数の下り送信チャネル部４０＃ｉｑ（ｑ＝１，２，…）、ＳＷ４２＃ｉ及び複数の下り受信チャネル部４４＃ｉｑ（ｑ＝１，２，…）を有する。クロスコネクト部１２は、複数の上り受信チャネル部３０＃ｉｑ（ｉ＝１〜ｍ，ｑ＝１，２，…）、ＳＷ３２、複数の上り送信チャネル部３４＃ｉｑ（ｉ＝１〜ｍ，ｑ＝１，２，…）、複数の上り送信チャネル部５０＃ｉｑ（ｉ＝１〜ｍ，ｑ＝１，２，…）、ＳＷ５２及び複数の上り受信チャネル部５４＃ｉｑ（ｉ＝１〜ｍ，ｑ＝１，２，…）を有する。各上り送信チャネル部２４＃ｉｑと上り受信チャネル部３０＃ｉｑは接続されている。また、各下り受信チャネル部４４＃ｉｑと下り送信チャネル部５０＃ｉｑは接続されている。
【０００５】
以下、図１８及び図１９を参照して、上りチャネルの信号について説明する。終端装置２＃ｉｊの装置番号と出方路となる交換機８＃ｐの関係が図示しない制御装置より入力される。装置番号の昇順に従って、終端装置２＃ｉｊが収容される加入者線終端部１０＃ｉにおいて上り受信チャネル部３２＃ａｂが割り当てられる。終端装置２＃ｉｊの装置番号よりも降番の装置番号の終端装置にチャネルが割り当てられていれば受信チャネル番号が更新される。また、上り受信チャネルに対応する上り送信チャネル部２４＃ｃｄが割り当てられる。
【０００６】
加入者終端部１０＃ｉにおいて、上り受信チャネル部２０＃ａｂに接続される上り送信チャネル部２４＃ｅｆがチャネルの登録順に割り当てられる。ここで、既に割り当てられていた送信チャネル番号の変更はない。例えば、装置番号＃０，２の終端装置２＃１０，２＃１２が接続されていたところに、新たに終端装置２＃１１が接続された場合に既に通信中の終端装置に影響を与えないようにするためである。一方、上り送信チャネル部２４＃ｅｆが上り受信チャネル部３０＃ｅｆに接続されているので、クロスコネクト部１２において、当該上り受信チャネル部３０＃ｅｆと上り送信チャネル部３４＃ａｂが接続される。
【０００７】
この装置において、終端装置と交換機間で通信異常が発生し、原因が端局装置する場合は次のようなものがある。
【０００８】
（ａ）  加入者終端部の受信チャネル部の問題で加入者終端部が正しくデータを受信できない。
【０００９】
（ｂ）  加入者終端部の受信チャネル部と送信チャネル部を結ぶＳＷ部が異常でデータが正しく伝達されない。
【００１０】
（ｃ）  加入者終端部の送信チャネル部の問題でクロスコネクト部が正しくデータを受信できない。
【００１１】
（ｄ）  クロスコネクト部の受信チャネル部の問題でクロスコネクト部が正しくデータを受信できない。
【００１２】
（ｅ）  クロスコネクト部の受信チャネル部と送信チャネル部を結ぶＳＷ部が異常でデータが正しく伝達されない。
【００１３】
（ｆ）  クロスコネクト部の送信チャネル部の問題で交換機接続部が正しくデータを受信できない。
【００１４】
（ｇ）  交換機接続部の受信チャネル部の問題で交換機接続部が正しくデータを受信できない。
【００１５】
（ｈ）  交換機接続部の送信チャネル部の問題で交換機が正しくデータを受信できない。
【００１６】
これらの故障を救済する方法として、従来、次の様な方法を取っていた。
【００１７】
（１）端局装置内の各部（加入者終端部，クロスコネクト部，交換機接続部）を冗長化構成にしておいて何れかの部分が故障した場合に、冗長構成を持っている予備系への切替により救済する（従来技術１）。
【００１８】
（２）  終端装置と交換機の接続を変更して違った交換機に接続し直すことにより救済する（従来技術２）。
【００１９】
【発明が解決しようとする課題】
しかしながら従来の方法では、以下の問題点があった。
【００２０】
従来技術１についは、コスト等の問題で冗長構成を取れない場合に故障が即通信サービス中断になってしまうという問題があった。また、従来技術２については、終端装置と交換機の接続ルートが変更になるため、交換機側の設定変更も必要になるという問題があった。
【００２１】
本発明の目的は、冗長構成及び交換機側の設定変更を行うことなく、上記（ｂ）〜（ｅ）の問題点を解決することのできる終端装置を提供することである。
【００２２】
【課題を解決するための手段】
本発明の一側面によれば、複数の終端装置を収容する複数の第１上り受信チャネル及び複数の第１上り送信チャネルを有し、各第１上り受信チャネルと対応する第１上り送信チャネルとを接続する加入者線終端部と、複数の第２上り受信チャネル及び複数の第２上り送信チャネルを有し、各第２上り受信チャネルと対応する第２上り送信チャネルとを接続するクロスコネクト部と、前記第２上り送信チャネル及び交換機に接続される交換機接続部とを有する端局装置の異常修復を制御する制御装置であって、前記各第２上り送信チャネルの異常を検出する通信状態監視部と、前記通信状態監視部により第２上り送信チャネルの異常が検出された場合に、該第２上り送信チャネルに接続される第２上り受信チャネルを特定する第１チャネル特定部と、前記第１チャネル特定部により特定された第２上り受信チャネルに接続される第１上り受信チャネルを特定する第２チャネル特定部と、前記通信状態監視部により第２上り送信チャネルの異常が検出された場合に、該第２上り送信チャネルと空きの第２上り受信チャネルとを接続するよう前記クロスコネクト部を制御する第１制御部と、前記第２チャネル特定部により特定された第１上り受信チャネルと前記空きの第１上り送信チャネルとを接続するよう前記加入者線終端部を制御する第２制御部とを具備したことを特徴とする制御装置が提供される。
【００２３】
本発明の他の側面によれば、複数の終端装置を収容する複数の第１下り送信チャネル及び複数の第１下り受信チャネルを有し、各第１下り送信チャネルと対応する第１下り受信チャネルとを接続する加入者線終端部と、複数の第２下り送信チャネル及び複数の第２下り受信チャネルを有し、各第２下り受信チャネルと対応する第２下り送信チャネルとを接続するクロスコネクト部と、前記第２下り受信チャネル及び交換機に接続される交換機接続部とを有する端局装置を制御する制御装置であって、前記各第１下り送信チャネルの異常を検出する通信状態監視部と、前記通信状態監視部により第１下り送信チャネルの異常が検出された場合に、該第１下り送信チャネルに接続される第１下り受信チャネルを特定する第１チャネル特定部と、前記第１チャネル特定部により特定された第１下り受信チャネルに接続される第２下り受信チャネルを特定する第２チャネル特定部と、前記通信状態監視部により第１下り送信チャネルの異常が検出された場合に、該第１下り送信チャネルと空きの第１下り受信チャネルとを接続するよう前記加入者線終端部を制御する第１制御部と、前記第２チャネル特定部により特定された第２下り受信チャネルと空きの第２下り送信チャネルとを接続するよう前記クロスコネクト部を制御する第２制御部とを具備したことを特徴とする制御装置が提供される。
【００２４】
【発明の実施の形態】
本発明の実施形態の説明をする前に本発明の原理の説明をする。図１は本発明の原理図である。図１に示すように、端局装置７４は、加入者線終端部６０＃ｉ（ｉ＝１，…）、クロスコネクト部７０及び交換機接続部７２を有する。加入者線終端部６６は、複数の第１上り受信チャネル６２＃ｉｊ（ｉ＝１，…，ｊ＝１，…）及び複数の第１上り送信チャネル６４＃ｉｊ（ｉ＝１，…，ｊ＝１，…）を有し、各第１上り受信チャネル６２＃ｉｊと対応する第１上り送信チャネル６４＃ｐｑとを接続する。クロスコネクト部７０は、複数の第２上り受信チャネル６６＃ｉｊ（ｉ＝１，…，ｊ＝１，…）及び複数の第２上り送信チャネル６８＃ｉｊ（ｉ＝１，…，ｊ＝１，…）を有し、各第２上り受信チャネル６６＃ｉｊと対応する第２上り送信チャネル６８＃ｒｓとを接続する。
【００２５】
制御装置７６は、端局装置７４の異常修復を制御するものであり、通信状態監視部８０、第１チャネル特定部８２、第２チャネル特定部８４、第１制御部８６及び第２制御部８８を具備する。通信状態監視部８０は、第２上り送信チャネル６８＃ｉｊ（ｉ＝１，…，ｊ＝１，…）の異常を検出する。例えば、第２上り送信チャネル６８＃１１の異常を検出したとする。第１チャネル特定部８２は、通信状態監視部８０により第２上り送信チャネル６８＃１１の異常が検出されると、第２上り送信チャネル６８＃１１に接続される第２上り受信チャネル６８＃ａｂ、例えば、第２上り受信チャネル６８＃１３を特定する。第２チャネル特定部８４は、第１チャネル特定部８２により特定された第２上り受信チャネル６８＃１３に接続される第１上り受信チャネル６２＃ｃｄ、例えば、第１上り受信チャネル６２＃１２を特定する。
【００２６】
第１制御部８６は、第２上り送信チャネル６８＃１１と空きの第２上り受信チャネル６６＃ｅｆ、例えば、第２上り受信チャネル６６＃１５とを接続するようクロスコネクト部７０を制御する。第２制御部８８は、第１上り受信チャネル６２＃１２と空きの第１上り送信チャネル６４＃１５とを接続するよう加入者線終端部６６＃１を制御する。これにより、異常に関わる上りチャネルは、第１上り受信チャネル６２＃１２、第１上り送信チャネル６４＃１５、第２上り受信チャネル６６＃１５及び第２上り送信チャネル６８＃１１に接続される。よって、第２上りチャネル６８＃１１の異常の原因が、第１上り受信チャネル６２＃１２が出力されてから、第１上り送信チャネル６４＃１３及び第２上り受信チャネル６６＃１３を通して第２上り送信チャネル６８＃１１に入力されるまでの間によるものである場合には、この異常の原因となる経路を回避できるので、異常が修復できる。
【００２７】
図２は、本発明の実施形態の伝送ネットワークの構成図であり、図１８中の構成要素と実質的に同一の構成要素には同一の符号を附している。制御装置１００は、次の機能を有する。
【００２８】
(1)  終端装置２＃ｉｊの上りチャネルについて、加入者線終端部１０＃ｉの上り受信チャネルと上り送信チャネル、クロスコネクト部１２側の上り受信チャネルと上り送信チャネルの各対応関係を端局装置６に設定する。
【００２９】
(2)  クロスコネクト部１２の上り送信チャネル部３４＃ｉｊ（ｉ＝１，…，ｊ＝１，…）に関わる上りチャネルが正常であるか異常であるかを判断する。正常／異常の判断は、例えば、当該上りチャネルの信号がオール’０’であるとき、異常であると判断する。
【００３０】
(3)  クロスコネクト部１２の上り送信チャネル部３４＃ｉｊに関わる上りチャネルが異常であると判断された場合には、次の処理をする。(i)クロスコネクト部１２において、上り送信チャネル部３４＃ｉｊに接続される上り受信チャネル３０＃ａｂを特定する。(ii)上り受信チャネル３０＃ａｂが接続される上り送信チャネル２４＃ａｂが接続される上り受信チャネル２０＃ａｃを特定する。(iii)クロスコネクト部１２中の空きの上り受信チャネル部３０＃ａｄと上り送信チャネル部３４＃ｉｊとを接続するように、クロスコネクト部１２に指示する。(iv)上り受信チャネル部３０＃ａｄが接続されている加入者線終端部１０＃ａ中の上り送信チャネル部２４＃ａｄと上り受信チャネル部２０＃ａｃとを接続するように、加入者線終端部１０＃ａに指示する。
【００３１】
(4)  加入者終端部１０＃ｉ中の下り送信チャネル部４０＃ｉｊ（ｉ＝１，…，ｊ＝１，…）に関わるチャネルが正常であるか異常であるかを判断する。
【００３２】
(5)  加入者線終端部１０＃ｉ中の下り送信チャネル部４０＃ｉｊに関わるチャネルが異常であると判断された場合には、次の処理をする。(i)加入者線終端部１０＃ｉにおいて、下り送信チャネル部４０＃ｉｊに接続される下り受信チャネル４４＃ｉａを特定する。(ii)下り受信チャネル４４＃ｉａが接続される下り送信チャネル５０＃ｉａが接続される下り受信チャネル５４＃ｂｃを特定する。(iii)加入者線終端部１０＃ｉ中の空きの下り受信チャネル部４４＃ｉｄと下り送信チャネル部４０＃ｉｊとを接続するように、加入者線終端部１０＃ｉに指示する。(iv)上り受信チャネル部４４＃ｉｄが接続されているクロスコネクト部１２の下り送信チャネル部５０＃ｉｄと下り受信チャネル部５４＃ｂｃとを接続するように、クロスコネクト部１２に指示する。
【００３３】
制御端末１０２は、保守者が入力した、チャネルを割り当てるべき終端装置２＃ｉと交換機８＃ｊとの関係を制御装置１００に出力する端末である。制御装置１００は、端局装置６に内蔵しても良いが、本実施形態では、ＬＡＮや専用線等の通信回線により端局装置６と接続するものとする。
【００３４】
図３は図２中の制御装置１００の一例を示す構成図である。図３に示すように、制御装置１００は、制御統括部１１０、加入者線終端部ＳＷ更新部１１２、加入者終端部テーブル１１４、クロスコネクトＳＷ更新部１１６、クロスコネクト部テーブル１１８及び通信状態監視部１２０を有する。制御統括部１１０は次の機能を有する。
【００３５】
(1)  制御端末１０２からオペレータが入力したチャネルを割り当てるべき終端装置２＃ｉｊと交換機８＃ｋの関係を入力すると、加入者線終端部ＳＷ更新部１１２及びクロスコネクト部Ｗ更新部１１６に上りチャネル及び下りチャネルの割り当てを要求する。終端装置２＃ｉｊに割り当てられていたチャネルの解放が制御端末１０２より指示されると、その旨を加入者線終端部ＳＷ更新部１１２及びクロスコネクト部ＳＷ更新部１１６に通知する。
【００３６】
(2)  通信状態監視部１２０からクロスコネクト部１２中の上り送信チャネル部３４＃ｉｊに関わるチャネルが異常であると通知を受けると、次の処理を行う。(i)クロスコネクト部ＳＷ更新部１１６を通してクロスコネクト部テーブル１１８を参照して、上り送信チャネル３４＃ｉｊが接続される上り受信チャネル３０＃ａｂを特定する。(ii)クロスコネクト部ＳＷ更新部１１６に上り送信チャネル３４＃ｉｊに関わるチャネルが異常であることを通知し、同時に加入者線終端部ＳＷ更新部１１２に上り送信チャネル３０＃ａｂに関わるチャネルが異常であることを通知する。同時に通知するのは、加入者線終端部１０＃ａとクロスコネクト部１０で同時に切り替えるためである。
【００３７】
(3)  通信状態監視部１２０から加入者線終端部１２＃ｉ中の下り送信チャネル部４０＃ｉｊに関わるチャネルが異常であると通知を受けると、次の処理を行う。(i)加入者線終端部ＳＷ更新部１１２を通して加入者線終端部テーブル１１４を参照して、下り送信チャネル４０＃ｉｊが接続される下り受信チャネル４４＃ａｂを特定する。(ii)加入者線終端部ＳＷ更新部１１２に下り送信チャネル４０＃ｉｊに関わるチャネルが異常であることを通知し、同時にクロスコネクト部ＳＷ更新部１１６に下り送信チャネル５０＃ａｂに関わるチャネルが異常であることを通知する。
【００３８】
加入者線終端部ＳＷ更新部１１４は、次の機能を有する。
【００３９】
(1)  制御統括部１１０より終端装置２＃ｉｊへのチャネルの割り当てが指示されると、次の処理を行う。(i)終端装置２＃ｉｊに対して、終端装置２＃ｉｊの装置番号に昇順に従って、上り受信チャネル部２０＃ｉａ及び下り送信チャネル部４０＃ｉｂを割り当てる。(ii)終端装置２＃ｉｊに対して、登録順に従って、上り受信チャネル部２０＃ｉａ及び下り送信チャネル部４０＃ｉｂに接続する空きの上り送信チャネル部２４＃ｉｃ及び空きの下り受信チャネル部４４＃ｉｄを割り当てる。(iii)上り受信チャネル部２０＃ｉａと上り送信チャネル部２４＃ｉｃとの関係、及び下り送信チャネル部４０＃ｉｂと下り受信チャネル部４４＃ｉｄとの関係並びに空きチャネルに関する情報を加入者線終端部テーブル１１４に登録する。
【００４０】
(2)  制御統括部１１０より加入者線終端部１０＃ｉ中の上り送信チャネル部２４＃ｉｊに関わるチャネルが異常であると通知を受け取ると、次の処理を行う。(i)加入者線終端部テーブル１１４を参照して、上り送信チャネル部２４＃ｉｊに接続されている上り受信チャネル部２０＃ｉａを求める。(ii)加入者線終端部テーブル１１４を参照して、チャネル番号が最若番の空きの上り送信チャネル部２４＃ｉｂを求める。(iii)上り受信チャネル部２０＃ｉａと上り送信チャネル部２４＃ｉｂの関係を加入者線終端部テーブル１１４に登録する。(iv)上り受信チャネル部２０＃ｉａと上り送信チャネル部２４＃ｉｂとを接続するよう加入者線終端部１０＃ｉに指示する。
【００４１】
(3)  制御統括部１１０より加入者線終端部１０＃ｉ中の下り送信チャネル部４０＃ｉｊに関わるチャネルが異常であると通知を受け取ると、次の処理を行う。(i)加入者線終端部テーブル１１４を参照して、チャネル番号が最若番の空きの下り受信チャネル部４４＃ｉａを求める。(ii)下り送信チャネル部４０＃ｉｊと下り受信チャネル部４４＃ｉａの関係を加入者線終端部部テーブル１１４に登録する。(iii)下り送信チャネル部４０＃ｉｊと下り受信チャネル部４４＃ｉａとを接続するよう加入者線終端部１０＃ｉに指示する。
【００４２】
加入者線終端部テーブル１１４は、各加入者線終端部１０＃ｉ（ｉ＝１〜ｍ）について、上りチャネルに関して、上り受信チャネル、上り送信チャネル及び割り当てられた終端装置２＃ｉｊの装置番号の関係並びに空き上り送信チャネルに関する情報、下りチャネルに関して、下り送信チャネル、下り受信チャネル及び割り当てられた終端装置２＃ｉｊの装置番号の関係並びに空き下り受信チャネルに関する情報を格納するテーブルである。クロスコネクトＳＷ更新部１１６は、次の機能を有する。
【００４３】
(1)  制御統括部１１０より終端装置２＃ｉｊに対して、交換機接続部１４＃ｋへのチャネルの割り当てが指示されると、次の処理を行う。(i)上り送信チャネル部３４＃ａｂ、下り受信チャネル部５４＃ｃｄの割り当てを行う。(ii)加入者線終端部１０＃ｉに接続される上り受信チャネル部３０＃ｉｋ（ｋ＝１，…）及び下り送信チャネル部５０＃ｉｋ（ｋ＝１，…）の中から、登録順に従って、上り送信チャネル部３４＃ａｂ及び下り受信チャネル部５４＃ｃｄに接続する空きの上り受信チャネル部３０＃ｉｅ及び空きの下り送信チャネル部５０＃ｉｆを割り当てる。尚、クロスコネクト部１２及び加入者線終端部１０＃ｉでは登録順にチャネルを割り当てていることから、上り受信チャネル部３０＃ｉｅ及び下り送信チャネル部５０＃ｉｆは、加入者線終端部１０＃ｉに割り当てられた上り送信チャネル部及び下り受信チャネル部に接続される。(iii)上り送信チャネル部３４＃ａｂと上り受信チャネル部３０＃ｉｅの関係、及び下り受信チャネル部５４＃ｃｄと下り受信チャネル部５０＃ｉｆの関係並びに空きチャネルに関する情報をクロスコネクト部テーブル１１８に登録する。
【００４４】
(2)  制御統括部１１０よりクロスコネクト部１２中の上り送信チャネル部３４＃ｉｊに関わるチャネルが異常であると通知を受け取ると、次の処理を行う。(i)クロスコネクト部テーブル１１８を参照して、上り送信チャネル部３４＃ｉｊが接続される上り受信チャネル部３０＃ａｂが接続される加入者線終端部１０＃ａに接続される上り受信チャネル部３０＃ａｋ（ｋ＝１，…）の中で，受信チャネル番号が最若番の空きの上り受信チャネル部３０＃ａｃを求める。(ii)上り送信チャネル部３４＃ｉｊと上り受信チャネル部３０＃ａｃの関係をクロスコネクト部テーブル１１８に登録する。(iii)上り送信チャネル部３４＃ｉｊと上り受信チャネル部３０＃ａｃを接続するようクロスコネクト部１２に指示する。
【００４５】
(4)  制御統括部１１０よりクロスコネクト部１２の下り送信チャネル部５０＃ｉｊに関わるチャネルが異常であると通知を受け取ると、次の処理を行う。(i)クロスコネクト部テーブル１１８を参照して、下り送信チャネル部５０＃ｉｊに接続されている下り受信チャネル部５４＃ａｂを求める。(ii)クロスコネクト部テーブル１１８を参照して、受信チャネル部５０＃ｉｋ（ｋ＝１，…）の中で，チャネル番号が最若番の空きの下り送信チャネル部５０＃ｉｃを求める。(iii)下り受信チャネル部５４＃ａｂと下り送信チャネル部５０＃ｉｃの関係をクロスコネクト部テーブル１１８に登録する。(iv)下り受信チャネル部５４＃ａｂと下り送信チャネル部５０＃ｉｃを接続するようクロスコネクト部１２に指示する。
【００４６】
クロスコネクト部テーブル１１８は、交換機接続部１４＃ｉ（ｉ＝１〜ｐ）に関して、上りチャネルについて、送信チャネルと受信チャネルの関係及び空き受信チャネルに関する情報、下りチャネルについて、受信チャネルと送信チャネルの関係並びに空き送信チャネルに関する情報を格納するテーブルである。通信状態監視部１２０は、クロスコネクト部１２中の各上り送信チャネル部３４＃ｉｊ（ｉ＝１，…，ｊ＝１，…）に関わる上りチャネル及び各加入者線終端部１０＃ｉ（ｉ＝１，…）の各下り送信チャネル部４０＃ｉｊ（ｊ＝１，…）が正常／異常のいずれの状態であるかを、送信チャネル部３４＃ｉｊ，４０＃ｉｊの出力信号をチェックすることにより検出する。そして、異常が検出されると、制御統括部１００に通知する。
【００４７】
以下、図２の伝送ネットワークの動作説明をする。
【００４８】
（１）  上りチャネルが異常の場合の修復処理
図４は上りチャネル異常時の修復方法を示すフローチャートである。図４に示すように、ステップＳ２において、制御統括部１１０は通信状態監視部１２０よりクロスコネクト部１２の上り送信チャネル部３４＃ｉｊ（ｉ＝１，…，ｊ＝１，…）に関わるチャネルに異常があると通知されたか否かを判断する。異常があると通知された場合は、ステップＳ４に進む。異常がなければ、ステップＳ２でウェイトする。上り送信チャネル部３４＃ａｂに関わるチャネルに異常があったものとする。ステップＳ４において、制御統括部１１０は、クロスコネクト部テーブル１１８を参照して、上り送信チャネル部３４＃ａｂに接続される上り受信チャネル部３４＃ｃｄを特定する。そして、加入者線終端部ＳＷ更新部１１２に上り受信チャネル部３４＃ｃｄに関わるチャネルが異常であることを通知する。また、クロスコネクト部ＳＷ更新部１１６に上り送信チャネル部３４＃ａｂに関わるチャネルが異常であることを通知する。
【００４９】
ステップＳ６において、加入者線終端部ＳＷ更新部１１２は、上り受信チャネル部３４＃ｃｄに接続される上り送信チャネル部２４＃ｃｄを特定する。ステップＳ８において、加入者線終端部ＳＷ更新部１１２は、加入者線終端部テーブル１１４を参照して、上り送信チャネル部２４＃ｃｄに接続される上り受信チャネル部２０＃ｃｅを特定する。ステップＳ１０において、加入者線終端部ＳＷ更新部１１２は、加入者線終端部テーブル１１４を参照して、チャネル番号が最若番の空きの上り送信チャネル部２４＃ｃｆを検索する。ステップＳ１２において、加入者線終端部ＳＷ更新部１１２は、上り送信チャネル部２４＃ｃｆと上り受信チャネル部２０＃ｃｅとを接続するようにＳＷ部２２＃ｃを制御する。ステップＳ１４において、加入者線終端部ＳＷ更新部１１２は、上り送信チャネル部２４＃ｃｆと上り受信チャネル部２０＃ｃｅの関係及び上り送信チャネル部２４＃ｃｄが空きであると加入者線終端部テーブル１１４に登録する。
【００５０】
ステップＳ１６において、クロスコネクト部ＳＷ更新部１１６は、クロスコネクト部テーブル１１８を参照して、受信チャネル部３０＃ｃｋ（ｋ＝１，…）の中で最若番の空きの上り受信チャネル部３０＃ｃｆを検索する。ステップＳ１８において、ステップＳ１２の実行と同時に、クロスコネクト部ＳＷ更新部１１６は、上り送信チャネル部３４＃ａｂと上り受信チャネル部３０＃ｃｆとを接続するようにＳＷ部３２を制御する。ステップＳ２０において、クロスコネクト部ＳＷ更新部１１６は、上り送信チャネル部３４＃ａｂと上り受信チャネル部３０＃ｃｆの関係及び上り受信チャネル部３０＃ｃｄが空きであるとクロスコネクト部テーブル１１８に登録する。
【００５１】
以下、具体例を上げて、異常時の修復について説明する。図５は、上りチャネルが正常な状態を示す図であり、加入者線終端部１０＃１とクロスコネクト部１２の接続の一例を示す図である。図５中、ＣＨＸ＝＃Ｙは、チャネル番号Ｘのチャネルが装置番号Ｙの終端装置２＃１Ｙに割り当てられていることを示す。ＳＷ２２，３２中の実線は上り受信チャネルと上り送信チャネルの接続関係を示す。
【００５２】
（１−ａ）  図６は、上りチャネルが異常な状態を示す図であり、上り受信チャネル部２０＃１１と上り送信チャネル部２４＃１２を結ぶＳＷ２２＃１が異常になった場合を示す図である。図６に示すように、この場合は、この事が原因で終端装置２＃１０の送信が異常となってしまい、図６中のハッチングで示すように、上り送信チャネル部２４＃１２、上り受信チャネル部３０＃１２、上り送信チャネル３４＃１３の各チャネルが異常となる。制御装置１００中の通信状態監視部１２０は、上り送信チャネル部３４＃１３に関わるチャネルの異常を検出し、制御統括部１１０に上り送信チャネル部３４＃１３の送信チャネル番号３を送信する。制御統括部１１０は、クロスコネクト部テーブル１１８を参照して、上り送信チャネル部３４＃１３が上り受信チャネル部３０＃１２に接続されていることを検出する。そして、加入者線終端部ＳＷ更新部１１２に上り受信チャネル部３０＃１２のチャネル番号を出力すると同時にクロスコネクト部ＳＷ更新部１１６に上り送信チャネル部３４＃１３のチャネル番号を出力する。
【００５３】
加入者線終端部ＳＷ更新部１１２は、上り受信チャネル部３０＃１２が接続されている上り送信チャネル部２４＃１２が接続されているので、加入者線終端部テーブル１１４を参照して、装置番号＃０の終端装置２＃１０が上り送信チャネル部２４＃１２及び上り受信チャネル部２０＃１０に接続されていることを検出する。上り受信チャネル部２０＃１０と上り空き送信チャネルのうち最若番チャネルの上り送信チャネル部２４＃１５の関係及び上り送信チャネル部２４＃１２が空きであると加入者線終端部テーブル１１４に更新すると共に加入者線終端部１０＃１中のＳＷ２２＃１に上り受信チャネル部２０＃１０と空き上り送信チャネルのうち最若番チャネルである上り送信チャネル部２４＃１５とを接続するよう指示する。加入者終端部ＳＷ更新部１１２の切り替えと同時にクロスコネクト部ＳＷ更新部１１６は、クロスコネクト部テーブル１１８を参照して、上り送信チャネル部３４＃１３と最若番の空き上り受信チャネル部３０＃１５に接続するようにその接続関係及び上り受信チャネル３０＃１２が空きであるとクロスコネクト部テーブル１１８を更新すると共にクロスコネクト部１２に接続を指示する。
【００５４】
図７は上りチャネルが修復された状態を示す図である。図７に示すように、加入者線終端部１０＃１において、上り受信チャネル部２０＃１１が上り送信チャネル部２４＃１５に接続され、クロスコネクト部１２において、上り送信チャネル部２４＃１５が上り受信チャネル部３０＃１５を通して上り送信チャネル部３４＃１３に接続されているので、異常なルートが回避され異常が修復される。よって、従来技術の（ｂ）の問題を解決することができる。
【００５５】
（１−ｂ）  図８は、上りチャネルが異常な状態を示す図であり、加入者線終端部１０＃１の上り送信チャネル部２４＃１２が異常になった場合を示している。図８に示すように、この場合は、この事が原因で終端装置２＃１０の送信が異常となってしまい、図８中のハッチングで示すように、上り送信チャネル部２４＃１２、クロスコネクト部１２中の上り受信チャネル部３０＃１２、上り送信チャネル３４＃１３のチャネルが異常となる。制御装置１００中の通信状態監視部１２０は、上り送信チャネル部３４＃１３に関わるチャネルの異常を検出し、制御統括部１１０に上り送信チャネル部３４＃１３の送信チャネル番号３を送信する。この場合も（１−ａ）と同様に、図７に示すように、加入者線終端部１０＃１において、上り受信チャネル部２０＃１１が上り送信チャネル部２４＃１５に接続され、クロスコネクト部１２において、上り送信チャネル部２４＃１５が上り受信チャネル部３０＃１５を通して上り送信チャネル部３４＃１３に接続される。異常である上り送信チャネル２４＃１２のルートが回避されて、異常が修復される。よって、従来技術の（ｃ）の問題を解決することができる。
【００５６】
（１−ｃ）  図９は、上りチャネルが異常な状態を示す図であり、クロスコネクト部１２の上り受信チャネル３０＃１２が異常になった場合を示している。図９に示すように、この場合は、この事が原因で終端装置２＃１０の送信が異常となってしまい、図９中のハッチングで示すように、クロスコネクト部１２中の上り受信チャネル部３０＃１２、上り送信チャネル３４＃１３の各チャネルが異常となる。制御装置１００中の通信状態監視部１２０は、上り送信チャネル部３４＃１３に関わるチャネルの異常を検出し、制御統括部１１０に上り送信チャネル部３４＃１３の送信チャネル番号３を送信する。この場合も（１−ａ）と同様に、図７に示すように、加入者線終端部１０＃１において、上り受信チャネル部２０＃１１が上り送信チャネル部２４＃１５に接続され、クロスコネクト部１２において、上り送信チャネル部２４＃１５が上り受信チャネル部３０＃１５を通して上り送信チャネル部３４＃１３に接続される。異常である上り受信チャネル３０＃１２のルートが回避されて、異常が修復される。よって、従来技術の（ｄ）の問題を解決することができる。
【００５７】
（１−ｄ）  図１０は、上りチャネルが異常な状態を示す図であり、上り受信チャネル部３０＃１２と上り送信チャネル部３４＃１３を結ぶＳＷ３２が異常になった場合を示している。図１０に示すように、この場合は、この事が原因で終端装置２＃１０の送信が異常となってしまい、図１０中のハッチングで示すように、クロスコネクト部１２の送信チャネル部３４＃１３に関わるチャネルが異常となる。制御装置１００中の通信状態監視部１２０は、上り送信チャネル部３４＃１３に関わるチャネルの異常を検出し、制御統括部１１０に上り送信チャネル部３４＃１３の送信チャネル番号３を送信する。この場合も（１−ａ）と同様に、図７に示すように、加入者線終端部１０＃１において、上り受信チャネル部２０＃１１が上り送信チャネル部２４＃１５に接続され、クロスコネクト部１２において、上り送信チャネル部２４＃１５が上り受信チャネル部３０＃１５を通して上り送信チャネル部３４＃１３に接続される。異常である上り送信チャネル３４＃１３のルートが回避されて、異常が修復される。よって、従来技術の（ｅ）の問題を解決することができる。
【００５８】
（２）  下りチャネルが異常の場合の修復処理
図１１は下りチャネルが異常の場合の修復方法を示すフローチャートである。図１１に示すように、ステップＳ３０において、制御統括部７０は通信状態監視部８０より加入者線終端部１０＃ｉｊ（ｉ＝１，…，ｊ＝１，…）の下り送信チャネル部４０＃ｉｊに関わるチャネルに異常があると通知されたか否かを判断する。異常があると通知された場合は、ステップＳ３２に進む。異常がなければ、ステップＳ３０でウェイトする。下り送信チャネル部４０＃ａｂに関わるチャネルに異常があったものとする。ステップＳ３２において、制御統括部１１０は、加入者線終端部テーブル１１４を参照して、下り送信チャネル部４０＃ａｂに接続される下り受信チャネル部４４＃ａｃを特定する。そして、クロスコネクト部ＳＷ更新部１１６に下り受信チャネル部４４＃ａｃに関わるチャネルが異常であることを通知する。また、加入者線終端部ＳＷ更新部１１２に上り送信チャネル部４０＃ａｂに関わるチャネルが異常であることを通知する。
【００５９】
ステップＳ３４において、クロスコネクト部ＳＷ更新部１１６は、下り受信チャネル部４４＃ａｃに接続される下り送信チャネル部５０＃ａｃを特定する。ステップＳ３６において、クロスコネクト部ＳＷ更新部１１６は、クロスコネクト部テーブル１１８を参照して、下り送信チャネル部５０＃ａｃに接続される下り受信チャネル部５４＃ｄｅを特定する。ステップＳ３８において、クロスコネクト部ＳＷ更新部１１６は、クロスコネクト部テーブル１１８を参照して、下り送信チャネル部５０＃ａｋ（ｋ＝１，…）の中で、チャネル番号が最若番の空きの下り送信チャネル部５０＃ａｆを検索する。ステップＳ４０において、クロスコネクト部ＳＷ更新部１１６は、下り送信チャネル部５０＃ａｆと下り受信チャネル部５４＃ｄｅを接続するようにＳＷ部５２を制御する。ステップＳ４２において、クロスコネクト部ＳＷ更新部１１６は、下り送信チャネル部５０＃ａｆと下り受信チャネル部５４＃ｄｅの関係及び下り送信チャネル部５０＃ａｃを空きチャネルとしてクロスコネクト部テーブル１１８に登録する。
【００６０】
ステップＳ４４において、加入者線終端部ＳＷ更新部１１２は、加入者線終端部テーブル１１４を参照して、チャネル番号が最若番の空きの下り送信チャネル部４４＃ａｆを検索する。ステップＳ４６において、加入者線終端部ＳＷ更新部１１２は、ステップＳ４０の実行と同時に、下り送信チャネル部４０＃ａｂと下り受信チャネル部４４＃ａｆを接続するようにＳＷ部４２＃ａを制御する。ステップＳ４８において、加入者線終端部ＳＷ更新部１１２は、下り送信チャネル部４０＃ａｂと下り受信チャネル部４４＃ａｆの関係及び下り受信チャネル４４＃ａｃを空きチャネルとして加入者線終端部テーブル１１４に登録する。
【００６１】
以下、具体例を上げて、異常時の修復について説明する。図１２は、下りチャネルが正常な状態を示す図であり、加入者線終端部１０＃１とクロスコネクト部１２の接続の一例を示す図である。図１２中、ＣＨＸ＝＃Ｙは、チャネル番号Ｘのチャネルが装置番号Ｙの終端装置２＃１Ｙに割り当てられていることを示す。ＳＷ４２，５２中の実線は下り受信チャネルと下り送信チャネルの接続関係を示す。
【００６２】
（２−ａ）  図１３は、下りチャネルが異常な場合を示す図であり、クロスコネクト部１２中の下り受信チャネル部５４＃１３と下り送信チャネル部５０＃１２を結ぶＳＷ５２が異常になった場合を示している。図１３に示すように、この場合は、この事が原因で終端装置２＃１０の受信が異常となってしまい、ハッチングで示すように、下り送信チャネル部５０＃１２、下り受信チャネル部４４＃１２、下り送信チャネル部４０＃１３の各チャネルが異常となる。制御装置１００中の通信状態監視部１２０は、下り送信チャネル部４０＃１１に関わるチャネルの異常を検出し、制御統括部１１０に下り送信チャネル部４０＃１１の送信チャネル番号１を送信する。制御統括部１１０は、加入者線終端部テーブル１１４を参照して、下り送信チャネル部４０＃１１が下り受信チャネル部４４＃１２に接続されていると検出する。クロスコネクト終端部ＳＷ更新部１１６に下り受信チャネル部４４＃１２のチャネル番号を出力すると同時に加入者線終端部ＳＷ更新部１１２に下り送信チャネル部４０＃１１のチャネル番号を出力する。
【００６３】
クロコネクト部ＳＷ更新部１１6は、下り受信チャネル部５４＃１３とチャネル番号が最若番の空き下り送信チャネル部５２＃１５の関係及び下り送信チャネル部５２＃１２が空きであるとクロスコネクト部テーブル１１８に登録すると共にクロスコネクト部１２中のＳＷ５２に下り受信チャネル部５４＃１３と下り送信チャネル部５０＃１５を接続するよう指示する。クロスコネクト部更新部１１６の切り替え制御と同時に加入者線終端部ＳＷ更新部１１２は、下り受信チャネル部４０＃１１をチャネル番号が最若番である空きの下り受信チャネル部４４＃１５の関係及び下り受信チャネル部４４＃１２が空きであると加入者線終端部テーブル１１４に登録すると共に加入者線終端部１０＃１中のＳＷ４２＃１に下り受信チャネル部４０＃１１と下り受信チャネル部４４＃１５とを接続するよう指示する。
【００６４】
図１４は下りチャネルが修復された状態を示す図である。図１４に示すように、加入者線終端部１２＃１において、下り受信チャネル部４０＃１１が下り送信チャネル部４４＃１５に接続され、クロスコネクト部１２において、下り受信チャネル部４４＃１５が下り送信チャネル部５０＃１５を通して下り受信チャネル部５４＃１３に接続されているので、異常なルートが回避され異常が修復される。
【００６５】
（２−ｂ）  図１５は、下りチャネルが異常な状態を示す図であり、クロスコネクト部１２の下り送信チャネル部５０＃１２が異常になった場合を示している。図１６は、下りチャネルが異常な状態を示す図であり、加入者線終端部１０＃１の下り受信チャネル部４４＃１２が異常になった場合を示している。図１７は、下りチャネルが異常な状態を示す図であり、加入者線終端部１０＃１の下り受信チャネル部４４＃１２と下り送信チャネル部４０＃１１とを結ぶＳＷ４２＃１が異常になった場合を示している。これらの場合も（２−ａ）と同様に、異常が修復される。
【００６６】
以上説明した実施形態によれば、自動的にチャネルの異常部分を特定してその部分を使用しないようにすることで面倒な人手をかけることなく通信異常状態の救済が可能となり。運用保守コストの軽減と装置信頼性向上に寄与することができる。特に、信頼性向上の面ではコストの関係で加入者線終端部、クロスコネクト部を冗長構成にすることができない場合に効果が大きい。
【００６７】
本発明は以下の付記を含むものである。
【００６８】
（付記１）  複数の終端装置を収容する複数の第１上り受信チャネル及び複数の第１上り送信チャネルを有し、各第１上り受信チャネルと対応する第１上り送信チャネルとを接続する加入者線終端部と、複数の第２上り受信チャネル及び複数の第２上り送信チャネルとを有し、各第２上り受信チャネルと対応する第２上り送信チャネルとを接続するクロスコネクト部と、前記第２上り送信チャネル及び交換機に接続される交換機接続部とを有する端局装置の異常修復を制御する制御装置であって、
前記各第２上り送信チャネルの異常を検出する通信状態監視部と、
前記通信状態監視部により第２上り送信チャネルの異常が検出された場合に、該第２上り送信チャネルに接続される第２上り受信チャネルを特定する第１チャネル特定部と、
前記第１チャネル特定部により特定された第２上り受信チャネルに接続される第１上り受信チャネルを特定する第２チャネル特定部と、
前記通信状態監視部により第２上り送信チャネルの異常が検出された場合に、該第２上り送信チャネルと空きの第２上り受信チャネルとを接続するよう前記クロスコネクト部を制御する第１制御部と、
前記第２チャネル特定部により特定された第１上り受信チャネルと空きの第１上り送信チャネルとを接続するよう前記加入者線終端部を制御する第２制御部と、
を具備したことを特徴とする制御装置。
【００６９】
（付記２）  前記第１上り受信チャネルと対応する第１上り送信チャネルとの関係及び空きの第１上り送信チャネルに関する情報を記憶する加入者線終端部テーブルと、前記第２上り受信チャネルと対応する第２上り送信チャネルとの関係及び空きの第２上り受信チャネルに関する情報を記憶するクロスコネクト部テーブルとを更に具備したことを特徴とする付記１記載の制御装置。
【００７０】
（付記３）  前記第１制御部は、前記クロスコネクト部テーブルに基づき、前記第２上り送信チャネルとチャネル番号が最若番の空きの第２上り受信チャネルとを接続するよう前記クロスコネクト部を制御することを特徴とする付記２記載の制御装置。
【００７１】
（付記４）  前記第２制御部は、前記加入者線終端部テーブルに基づき、前記第１上り受信チャネルと、異常なチャネルに関わる加入者線終端部に接続される中でチャネル番号が最若番の空きの第１上り送信チャネルとを接続するよう前記加入者線終端部を制御することを特徴とする付記２記載の制御装置。
【００７２】
（付記５）  複数の終端装置を収容する複数の第１下り送信チャネル及び複数の第１下り受信チャネルを有し、各第１下り送信チャネルと対応する第１下り受信チャネルとを接続する加入者線終端部と、複数の第２下り送信チャネル及び複数の第２下り受信チャネルとを有し、各第２下り受信チャネルと対応する第２下り送信チャネルとを接続するクロスコネクト部と、前記第２下り受信チャネル及び交換機に接続される交換機接続部とを有する端局装置を制御する制御装置であって、
前記各第１下り送信チャネルの異常を検出する通信状態監視部と、
前記通信状態監視部により第１下り送信チャネルの異常が検出された場合に、該第１下り送信チャネルに接続される第１下り受信チャネルを特定する第１チャネル特定部と、
前記第１チャネル特定部により特定された第１下り受信チャネルに接続される第２下り受信チャネルを特定する第２チャネル特定部と、
前記通信状態監視部により第１下り送信チャネルの異常が検出された場合に、該第１下り送信チャネルと空きの第１下り受信チャネルとを接続するよう前記加入者線終端部を制御する第１制御部と、
前記第２チャネル特定部により特定された第２下り受信チャネルと空きの第２下り送信チャネルとを接続するよう前記クロスコネクト部を制御する第２制御部と、
を具備したことを特徴とする制御装置。
【００７３】
（付記６）  前記第１下り送信チャネルと対応する第１下り受信チャネルとの関係及び空きの第１下り受信チャネルに関する情報を記憶する加入者線終端部テーブルと、前記第２下り受信チャネルと対応する第２下り送信チャネルとの関係及び空きの第２下り送信チャネルに関する情報を記憶するクロスコネクト部テーブルとを更に具備したことを特徴とする付記５記載の制御装置。
【００７４】
（付記７）  前記第１制御部は、前記加入者線終端部テーブルに基づいて、前記第１下り送信チャネルとチャネル番号が最若番の空きの第１下り受信チャネルとを接続するよう前記加入者線終端部を制御することを特徴とする付記６記載の制御装置。
【００７５】
（付記８）  前記第２制御部は、前記クロスコネクト部テーブルに基づいて、前記第２下り受信チャネルと、異常なチャネルに関わる加入者線終端部に接続される中でチャネル番号が最若番の空きの第２下り送信チャネルとを接続するよう前記クロスコネクト部を制御することを特徴とする付記６記載の制御装置。
【００７６】
【発明の効果】
以上説明した本発明によれば、自動的にチャネルの異常部分を特定してその部分を使用しないようにすることで面倒な人手をかけることなく通信異常状態の救済が可能となり、運用保守コストの軽減と装置信頼性向上に寄与することができる。
【図面の簡単な説明】
【図１】本発明の原理図である。
【図２】本発明の実施形態による伝送ネットワーク構成図である。
【図３】図２中の制御装置の構成図である。
【図４】上りチャネル異常時の修復方法を示すフローチャートである。
【図５】上りチャネルが正常な状態を示す図である。
【図６】上りチャネルが異常な状態を示す図である。
【図７】上りチャネルが修復された状態を示す図である。
【図８】上りチャネルが異常な状態を示す図である。
【図９】上りチャネルが異常な状態を示す図である。
【図１０】上りチャネルが異常な状態を示す図である。
【図１１】下りチャネルが異常時の修復方法を示すフローチャートである。
【図１２】下りチャネルが正常な状態を示す図である。
【図１３】下りチャネルが異常な状態を示す図である。
【図１４】下りチャネルが修復された状態を示す図である。
【図１５】下りチャネルが異常な状態を示す図である。
【図１６】下りチャネルが異常な状態を示す図である。
【図１７】下りチャネルが異常な状態を示す図である。
【図１８】従来の伝送ネットワーク構成図である。
【図１９】端局装置中の加入者線終端部及びクロスコネクト部の構成図である。
【符号の説明】
７６  制御装置
８０  通信状態監視部
８２  第１チャネル特定部
８４  第２チャネル特定部
８６  第１制御部
８８  第２制御部
【図１】
0004675524.tif 000002
【図２】
0004675524.tif 000003
【図３】
0004675524.tif 000004
【図４】
0004675524.tif 000005
【図５】
0004675524.tif 000006
【図６】
0004675524.tif 000007
【図７】
0004675524.tif 000008
【図８】
0004675524.tif 000009
【図９】
0004675524.tif 000010
【図１０】
0004675524.tif 000011
【図１１】
0004675524.tif 000012
【図１２】
0004675524.tif 000013
【図１３】
0004675524.tif 000014
【図１４】
0004675524.tif 000015
【図１５】
0004675524.tif 000016
【図１６】
0004675524.tif 000017
【図１７】
0004675524.tif 000018
【図１８】
0004675524.tif 000019
【図１９】
0004675524.tif 000020